(57)【要約】【課題】機器の消費電力量に関する情報を出力することでユーザに電気の使用量を意識させることができるコントローラを提供する。【解決手段】コントローラ１００は、複数の機器のそれぞれの消費電力量を取得する電力情報取得部と、画面に表示するための表示用データを生成する画面情報生成部３０３と、を備え、画面情報生成部３０３は、複数の機器それぞれに対して予め割当てられた当該機器を特定するための特定情報を、消費電力量に応じた順により一覧表示するための表示用データを生成する。【選択図】図３
2012133764.tif 000002
【特許請求の範囲】
【請求項１】
複数の機器のそれぞれの消費電力量を取得する電力情報取得部と、
画面に表示するための表示用データを生成する生成部と、を備え、
前記生成部は、
前記複数の機器それぞれに対して予め割当てられた当該機器を特定するための特定情報を、消費電力量に応じた順により一覧表示するための表示用データを生成する、コントローラ。
【請求項２】
前記複数の機器のうちから選択された機器に対する名称の入力操作を受付けるための操作受付部と、
前記操作受付部が受付けた入力操作に基づく前記名称を、選択された機器の前記特定情報として割当てる機器名割当部と、さらに備える、請求項１に記載のコントローラ。
【請求項３】
前記特定情報は、対応する前記機器が配置された部屋を特定するための部屋情報を含む、請求項１または２に記載のコントローラ。
【請求項４】
前記電力情報取得部は、
前記複数の機器のそれぞれから消費電力を示すデータを受信する電力情報受信部と、
前記複数の機器のそれぞれから受信するデータが示す消費電力を所定期間にわたって累積加算することにより、各機器の消費電力量を算出する消費電力量積算部と、を含む、請求項１から３のいずれかに記載のコントローラ。
【請求項５】
前記所定期間は変更可能である、請求項４に記載のコントローラ。
【請求項６】
前記生成部は、
前記複数の機器の配置を示す間取り図において、各機器の位置に当該機器を示す画像を、当該機器に付された順位を特定する態様で表示するための表示用データを生成する、請求項１から５のいずれかに記載のコントローラ。
【請求項７】
前記生成部は、
第１方向を指示するキー操作を受付ける毎に、前記消費電力量の多い順に機器を選択し、前記第１方向とは反対の第２方向を指示するキー操作を受付ける毎に、前記消費電力量の少ない順に機器を選択し、
前記キー操作を受付ける毎に、選択された機器の前記間取り図における位置に当該機器を示す画像を所定態様で表示するための表示用データを生成する、請求項１から６のいずれかに記載のコントローラ。
【請求項８】
前記生成部は、
前記複数の機器のうちから選択される機器から取得した消費電力量の経時変化を表すための表示用データを生成する、請求項１から７のいずれかに記載のコントローラ。
【請求項９】
前記電力情報受信部は、
複数の機器のそれぞれの消費電力を測定するための複数の通信装置から前記消費電力を受信する、請求項４に記載のコントローラ。
【請求項１０】
複数の機器とコントローラとを備えるネットワークシステムであって、
前記コントローラは、
複数の機器のそれぞれの消費電力量を取得する電力情報取得部と、
画面に表示するための表示用データを生成する生成部と、を備え、
前記生成部は、
前記複数の機器それぞれに対して予め割当てられた当該機器を特定するための特定情報を、消費電力量に応じた順により一覧表示するための表示用データを生成する、ネットワークシステム。
【請求項１１】
複数の機器と、前記複数の機器のそれぞれの消費電力量を測定するための複数の測定装置と、コントローラとを備えるネットワークシステムであって、
前記複数の測定装置は、それぞれ、前記複数の機器による消費電力量を前記コントローラに送信し、
前記コントローラは、
複数の測定装置のそれぞれから消費電力量を取得する電力情報取得部と、
画面に表示するための表示用データを生成する生成部と、を備え、
前記生成部は、
前記複数の機器それぞれに対して予め割当てられた当該機器を特定するための特定情報を、消費電力量に応じた順により一覧表示するための表示用データを生成する、ネットワークシステム。
【請求項１２】
複数の機器と通信するための通信インターフェイス、メモリ、およびプロセッサを含むコントローラにおける情報処理方法であって、
前記プロセッサが、前記通信インターフェイスを介して前記複数の機器それぞれから受信する電力情報に基づき、前記複数の機器それぞれの消費電力量を取得するステップと、
前記プロセッサが、画面に表示するための表示用データを生成するステップと、を備え、
前記生成するステップでは、
前記プロセッサは、前記複数の機器それぞれに対して予め割当てられた当該機器を特定するための特定情報を、消費電力量に応じた順により一覧表示するための表示用データを生成する、情報処理方法。
【発明の詳細な説明】
【技術分野】
【０００１】
本発明は、住宅などに配置されて当該住宅内の電気機器に接続されるコントローラの技術に関する。
【背景技術】
【０００２】
住宅などに配置されて、当該住宅内の電気機器を制御するためのコントローラが提案されている。たとえば、コントローラが、洗濯機や、電子レンジや、冷蔵庫や、エアコンや、テレビや、太陽電池などの家電を制御したり、それらの家電の状態を表示したりする技術が提案されている。
【０００３】
特開平０９−１４５７４３号公報（特許文献１）には、電流使用量検知アダプタ及びその応用システムが開示されている。特開平０９−１４５７４３号公報（特許文献１）によると、電流流量検知回路部により機器に流入する電流量を検知し、電流量が異常に大きい時には制御処理部からの指令で電流遮断回路部により電流を遮断できる。また、通信処理部により、検知した電流量や電流量制御情報がバス上に接続されたコントローラと送受信でき、複数機器の利用状況把握と異常判定が可能である。
【先行技術文献】
【特許文献】
【０００４】
【特許文献１】特開平０９−１４５７４３号公報
【発明の概要】
【発明が解決しようとする課題】
【０００５】
現在、環境保護の観点から、家電機器を使用するユーザの省エネ意識をより有効に高めることが求められている。取分け、消費電力量の多い家電機器に対応することが、省エネ効果を高める。そこで、家電機器の消費電力量に関する情報を出力することでユーザに電気の使用量を意識させることができれば有益である。
【０００６】
本発明は、かかる問題を解決するためになされたものであり、その目的は、機器の消費電力量に関する情報を出力することでユーザに電気の使用量を意識させることができるコントローラ、ネットワークシステム、および情報処理方法を提供することにある。
【課題を解決するための手段】
【０００７】
この発明のある局面に従うと、複数の機器のそれぞれの消費電力量を取得する電力情報取得部と、画面に表示するための表示用データを生成する生成部と、を備え、生成部は、複数の機器それぞれに対して予め割当てられた当該機器を特定するための特定情報を、消費電力量に応じた順により一覧表示するための表示用データを生成する。
【０００８】
好ましくは、複数の機器のうちから選択された機器に対する名称の入力操作を受付けるための操作受付部と、操作受付部が受付けた入力操作に基づく名称を、選択された機器の特定情報として割当てる機器名割当部と、さらに備える。
【０００９】
好ましくは、特定情報は、対応する機器が配置された部屋を特定するための部屋情報を含む。
【００１０】
好ましくは、電力情報取得部は、複数の機器のそれぞれから消費電力を示すデータを受信する電力情報受信部と、複数の機器のそれぞれから受信するデータが示す消費電力を所
定期間にわたって累積加算することにより、各機器の消費電力量を算出する消費電力量積算部と、を含む。
【００１１】
好ましくは、所定期間は変更可能である。
好ましくは、生成部は、複数の機器の配置を示す間取り図において、各機器の位置に当該機器を示す画像を、当該機器に付された順位を特定する態様で表示するための表示用データを生成する。
【００１２】
好ましくは、生成部は、第１方向を指示するキー操作を受付ける毎に消費電力量の多い順に機器を選択し、第１方向とは反対の第２方向を指示するキー操作を受付ける毎に消費電力量の少ない順に機器を選択し、キー操作を受付ける毎に、選択された機器の間取り図における位置に当該機器を示す画像を所定態様で表示するための表示用データを生成する。
【００１３】
好ましくは、生成部は、複数の機器のうちから選択される機器から取得した消費電力量の経時変化を表すための表示用データを生成する。
【００１４】
好ましくは、電力情報受信部は、複数の機器のそれぞれの消費電力を測定するための複数の通信装置から前記消費電力を受信する。
【００１５】
この発明の他の局面に従えば、複数の機器とコントローラとを備えるネットワークシステムでは、コントローラは、複数の機器のそれぞれの消費電力量を取得する電力情報取得部と、画面に表示するための表示用データを生成する生成部と、を備え、生成部は、複数の機器それぞれに対して予め割当てられた当該機器を特定するための特定情報を、消費電力量に応じた順により一覧表示するための表示用データを生成する。
【００１６】
この発明のさらに他の局面に従えば、複数の機器と、前記複数の機器のそれぞれの消費電力量を測定するための複数の測定装置と、コントローラとを備えるネットワークシステムでは、複数の測定装置は、それぞれ、複数の機器による消費電力量をコントローラに送信し、コントローラは、複数の測定装置のそれぞれから消費電力量を取得する電力情報取得部と、画面に表示するための表示用データを生成する生成部と、を備え、生成部は、複数の機器それぞれに対して予め割当てられた当該機器を特定するための特定情報を、消費電力量に応じた順により一覧表示するための表示用データを生成する。
【００１７】
この発明のさらに他の局面に従えば、複数の機器と通信するための通信インターフェイス、メモリ、およびプロセッサを含むコントローラにおける情報処理方法は、プロセッサが、通信インターフェイスを介して複数の機器それぞれから受信する電力情報に基づき、複数の機器それぞれの消費電力量を取得するステップと、プロセッサが、画面に表示するための表示用データを生成するステップと、を備え、生成するステップでは、プロセッサは、複数の機器それぞれに対して予め割当てられた当該機器を特定するための特定情報を、消費電力量に応じた順により一覧表示するための表示用データを生成する。
【発明の効果】
【００１８】
本発明によれば、機器の消費電力量に関する情報を出力することでユーザに電気の使用量を意識させることができる。
【図面の簡単な説明】
【００１９】
【図１】実施の形態１に係るネットワークシステムの全体構成を示す図である。
【図２】本実施の形態１に係るホームコントローラのハードウェア構成を表わすブロック図である。
【図３】本実施の形態１に係るホームコントローラの機能構成を示す図である。
【図４】本実施の形態１に係る消費電力量テーブルを説明するための図である。
【図５】本実施の形態１に係る消費電力量テーブルを説明するための図である。
【図６】本実施の形態１に係る積算電力量データ群を説明するための図である。
【図７】本実施の形態１に係るテレビのハードウェア構成を表わすブロック図である。
【図８】本実施の形態１に係るデータ通信の処理手順を示すフローチャートである。
【図９】本実施の形態１に係る名前割付の処理手順を示すフローチャートである。
【図１０】本実施の形態１に係る画面の遷移を説明するための図である。
【図１１】本実施の形態１に係る画面の遷移を説明するための図である。
【図１２】本実施の形態１に係る画面の遷移を説明するための図である。
【図１３】本実施の形態１に係る画面遷移の処理手順を示すフローチャートである。
【図１４】本変形例に係る表示画面を示す図である。
【図１５】本変形例に係る表示画面を示す図である。
【図１６】実施の形態２に係るネットワークシステムの全体構成を示すイメージ図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
本実施の形態では、家電機器とは、家屋で使用される電気機器であり、外部から供給される電力によって駆動される電気機器を指す。家屋は、たとえば、住宅、オフィスなどを指す。
【００２２】
［実施の形態１］
＜ネットワークシステムの全体構成＞
まず、本実施の形態に係るネットワークシステムの全体構成について説明する。図１を参照して、本実施の形態に係るネットワークシステム１は、たとえば、住宅やオフィスなどに設置される。ネットワークシステム１は、リビングルームに設置されるエアコン２００Ａ、リビングルームに設置されるテレビ２００Ｂ、リビングルームに設置されるカーテン開閉装置２００Ｃ、キッチンに設置される冷蔵庫２００Ｄ、およびダイニングルームに設置されるライト２００Ｅなどの家電を含む。図示される家電は一例であり、これらに限定されるものではない。
【００２３】
ネットワークシステム１は、太陽光発電装置２００Ｘ、バッテリー２００Ｙ、それらを制御するためのパワーコンディショナ２００Ｚを含む。なお、バッテリー２００Ｙは、住宅などに設置されるものであってもよいし、自動車用のバッテリーを住宅用のバッテリーとして兼用するものであってもよい。
【００２４】
ネットワークシステム１は、家電２００Ａ〜２００Ｅ、太陽光発電装置２００Ｘ、バッテリー２００Ｙ、それらを制御するためのパワーコンディショナ２００Ｚ、などを制御するためのホームコントローラ１００を含む。ホームコントローラ１００は、有線あるいは無線のネットワーク４０１を介して、家電２００Ａ〜２００Ｅ、太陽光発電装置２００Ｘ、バッテリー２００Ｙ、それらを制御するためのパワーコンディショナ２００Ｚ、などとデータ通信が可能である。ホームコントローラ１００は、ネットワーク４０１として、たとえば、無線ＬＡＮ（Local  Area  Network）、ZigBee(登録商標)、Bluetooth（登録商標）、有線ＬＡＮ、またはＰＬＣ（Power  Line  Communications）などを利用する。ホームコントローラ１００は、持ち運び可能であってもよいし、テーブル上に載置されたベースに着脱自在であってもよいし、部屋の壁に固設されるものであってもよい。
【００２５】
本実施の形態に係るネットワークシステム１においては、パワーコンディショナ２００Ｚが、電力線４０２を介して、バッテリー２００Ｙと系統と家電２００Ａ〜２００Ｅとに電力を供給する。そして、パワーコンディショナ２００Ｚは、電力線４０２を介して、太陽光発電装置２００Ｘ、バッテリー２００Ｙ、および系統（電力会社が提供する電力系統など）から電力を取得する。
【００２６】
＜ネットワークシステムの動作概要＞
次に、本実施の形態に係るネットワークシステム１の動作概要について説明する。
【００２７】
ホームコントローラ１００は、ネットワーク４０１を介して、住宅に設置される複数の家電２００Ａ〜２００Ｅのそれぞれから、家電２００Ａ〜２００Ｅの消費電力のデータを受信する。各家電２００Ａ〜２００Ｅは、ホームコントローラ１００と通信するための通信部および当該家電の消費電力を測定するための電力センサを内蔵する。
【００２８】
ホームコントローラ１００は、受信した家電２００Ａ〜２００Ｅの消費電力のデータを蓄積することによって、家電２００Ａ〜２００Ｅの消費電力量を所定期間にわたって累積加算し、累積加算した消費電力量の多い順に従って家電２００Ａ〜２００Ｅを順位付けする（以下、これをランキングという）。ホームコントローラ１００は、ランキングの情報の画面を表示するとともに、各家電について消費電力量の推移を示すグラフなど電力の消費傾向を示す情報の画面を表示する。ホームコントローラ１００は、予め設定されている画面の階層構造に基づいて、ディスプレイ１０２または後述のディスプレイ２０２に、複数種類の画面を切替えて表示させる。
【００２９】
以下、このような機能を実現するためのネットワークシステム１の具体的な構成について詳述する。
【００３０】
＜ホームコントローラ１００のハードウェア構成＞
本実施の形態に係るホームコントローラ１００のハードウェア構成の一態様について説明する。
【００３１】
図２を参照して、ホームコントローラ１００は、メモリ１０１、ディスプレイ１０２、タブレット１０３、ボタン１０４、通信インターフェイス１０５、スピーカ１０７、時計１０８、およびＣＰＵ（Central  Processing  Unit）１１０を含む。
【００３２】
メモリ１０１は、各種のＲＡＭ（Random  Access  Memory）や、ＲＯＭ（Read-Only  Memory）や、ハードディスクなどによって実現される。たとえば、メモリ１０１は、読取用のインターフェイスを介して利用される、ＵＳＢ（Universal Serial Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、
メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００３３】
メモリ１０１は、ＣＰＵ１１０によって実行される制御プログラム、ならびに消費電力量テーブル３０５Ａおよび積算電力量データ群３０５Ｂを含む各種のデータを記憶する。
【００３４】
ディスプレイ１０２は、ＣＰＵ１１０によって制御されることによって、家電２００Ａ〜２００Ｅやパワーコンディショナ２００Ｚの状態を表示する。タブレット１０３は、ユーザの指によるタッチ操作を検出して、タッチ座標などをＣＰＵ１１０に入力する。ＣＰＵ１１０は、タブレット１０３を介して、ユーザからの命令を受け付ける。
【００３５】
本実施の形態においては、ディスプレイ１０２の表面にタブレット１０３が敷設されている。すなわち、本実施の形態においては、ディスプレイ１０２とタブレット１０３とがタッチパネル１０６を構成する。ただし、ホームコントローラ１００は、タブレット１０３を有していなくともよい。
【００３６】
ボタン１０４は、ホームコントローラ１００の表面に配置される。ボタン１０４は、決定ボタン、戻りボタン、方向ボタン、テンキーなどの複数のボタン，キーを有する。ボタン１０４は、ユーザからの命令を受け付ける。ボタン１０４は、ユーザからの命令をＣＰＵ１１０に入力する。
【００３７】
通信インターフェイス１０５は、ＣＰＵ１１０によって制御されることによって、ネットワーク４０１を介して、家電２００Ａ〜２００Ｅとデータを送受信する。上述したように、通信インターフェイス１０５は、たとえば、無線ＬＡＮ、ZigBee(登録商標)、Bluetooth（登録商標）、有線ＬＡＮ、またはＰＬＣなどを利用することによって、家電２００Ａ〜２００Ｅとデータを送受信する。
【００３８】
スピーカ１０７は、ＣＰＵ１１０からの命令に基づいて、音声を出力する。たとえば、ＣＰＵ１１０は、音声データに基づいて、スピーカ１０７に音声を出力させる。
【００３９】
時計１０８は、ＣＰＵ１１０からの命令に基づいて、現在の日付や時刻をＣＰＵ１１０に入力する。
【００４０】
ＣＰＵ１１０は、メモリ１０１に記憶されている各種のプログラムを実行することによって、各種の情報処理を実行する。換言すれば、ホームコントローラ１００における処理は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００４１】
このようなソフトウェアは、図示しない読取装置を利用することによってその記憶媒体から読み取られて、あるいは、通信インターフェイス１０５を利用することによってダウンロードされて、メモリ１０１に一旦格納される。ＣＰＵ１１０は、ソフトウェアを実行可能なプログラムの形式でメモリ１０１に格納してから、当該プログラムを実行する。
【００４２】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００４３】
ここでいうプログラムとは、ＣＰＵにより直接実行可能なプログラムだけでなく、ソースプログラム形式のプログラム、圧縮処理されたプログラム、暗号化されたプログラム等を含む。
【００４４】
＜ホームコントローラ１００の機能構成＞
図３を参照してホームコントローラ１００は、タッチパネル１０６またはボタン１０４を介したユーザの操作を受付けるための操作受付部３００、ディスプレイ１０２の画面を切替える画面切替部３０１、表示用データに従ってディスプレイ１０２に画面を表示する表示処理部３０２、画面の表示用データを生成する画面情報生成部３０３、画面情報生成部３０３によって参照される間取図格納部３０４、消費電力に関する情報を格納する電力情報格納部３０５、ユーザの指示に従って家電に名称を割当てるための機器名割当部３０６、各家電から消費電力のデータを受信するための電力情報受信部３０７、電力情報受信部３０７によって受信された各家電の消費電力を累積加算処理するための消費電力量積算部３０８を備える。電力情報受信部３０７と消費電力量積算部３０８とにより、各家電から消費電力量を取得する電力情報取得部を構成する。
【００４５】
間取図格納部３０４および電力情報格納部３０５は、メモリ１０１に対応する。他の各部の機能はプログラムとしてメモリ１０１に予め格納されており、ＣＰＵ１００がメモリ１０１から当該プログラムを読出し、実行することにより機能が実現される。なお、他の各部の機能はプログラムと回路モジュールの組合わせにより実現されてもよい。
【００４６】
画面情報生成部３０３は、ランキングに関する情報の画面表示用データを生成するためのランキング情報生成部３０３Ａ、グラフ生成部３０３Ｂおよび割当画面生成部３０３Ｃを含む。グラフ生成部３０３Ｂは、家電の消費電力量の経時変化をグラフにて表わすための画面表示データを生成する。割当画面生成部３０３Ｃは、機器名割当部３０６に関連した画面の表示用データを生成する。
【００４７】
間取図格納部３０４は、ネットワークシステム１が敷設された屋内の間取を示す間取図データを予め格納する。間取図データは、屋内の間取を表すＸ，Ｙ座標平面のデータと、各家電が設置された位置を指す当該Ｘ，Ｙ座標平面における座標位置データと、当該座標位置データに関連付けされた当該家電を識別するマークなどの画像データとを含む。ユーザは、家電の配置態様を変更する場合には、間取図格納部３０４の間取図データを、ディスプレイ１０２に表示させて、タッチパネル１０６またはボタン１０４を操作して変更することが可能である。
【００４８】
電力情報格納部３０５は、図４と図５の消費電力量テーブル３０５Ａおよび図６の積算電力量データ群３０５Ｂを格納する。
【００４９】
＜テレビ２００Ｂのハードウェア構成＞
家電の一例として、テレビ２００Ｂの構成を説明する。図７を参照して、テレビ２００Ｂは、メモリ２０１、ディスプレイ２０２、ボタン２０４、通信インターフェイス２０５、スピーカ２０７、センサ２０９、およびＣＰＵ２１０を含む。
【００５０】
メモリ２０１は、ホームコントローラ１００のメモリ１０１と同様に実現され得る。メモリ２０１は、ＣＰＵ２１０によって実行される制御プログラム、テレビ２００Ｂの消費電力、テレビ２００Ｂに入力された命令、テレビ２００Ｂの動作状態、および後述する消費電力量テーブル３０５Ａの当該家電に対応のレコードＲのＩＤの値に一致する識別子（ＩＤ）、などを記憶する。
【００５１】
ディスプレイ２０２は、ＣＰＵ２１０によって制御される。より詳細には、ディスプレイ２０２は、図示しないＴＶチューナやＶＲＡＭ（Video  RAM）からのデータに基づいて、静止画像や動画像を表示する。
【００５２】
ボタン２０４は、テレビ２００Ｂの表面に配置される。テレビ２００Ｂは、決定キー、方向キー、テンキーなどの複数のボタン２０４を有してもよい。ボタン２０４は、ユーザからの命令を受け付けて、当該命令をＣＰＵ２１０に入力する。
【００５３】
通信インターフェイス２０５は、ＣＰＵ２１０によって制御されることによって、ネットワーク４０１を介して、ホームコントローラ１００とデータを送受信する。上述したように、通信インターフェイス２０５は、無線ＬＡＮ、ZigBee(登録商標)、Bluetooth（登録商標）、有線ＬＡＮ（Local  Area  Network）、またはＰＬＣ（Power  Line  Communications）などを利用することによって、ホームコントローラ１００とデータを送受信する。
【００５４】
スピーカ２０７は、ＣＰＵ２１０からの命令に基づいて、音声を出力する。たとえば、ＣＰＵ２１０は、音声データに基づいて、スピーカ２０７に音声を出力させる。
【００５５】
時計２０８は、ＣＰＵ２１０からの命令に基づいて、現在の日付や時刻をＣＰＵ２１０に入力する。
【００５６】
センサ２０９は、電力センサであって、テレビ２００Ｂの消費電力を測定する。測定された消費電力は、通信インターフェイス２０５によりＣＰＵ２１０に送信される。
【００５７】
＜消費電力量テーブル３０５Ａ＞
図４を参照して、消費電力量テーブル３０５Ａは、家電２００Ａ〜２００Ｅのそれぞれに対応してレコードＲを格納する。レコードＲは、当該レコードＲを識別するためのＩＤ、対応する家電の名前を指す機器名、対応する家電について機器名割当部３０６により割当てられた機器名、屋内において対応する家電が設置されている位置（上述の座標位置を指す）、対応の家電が設置されている部屋の名前、対応する家電の消費電力、対応する家電の積算消費電力量が格納される。
【００５８】
家電の積算消費電力量は、当該家電の本日積算消費電力量３０５１、今週積算消費電力量３０５２および今月積算消費電力量３０５３を含む。本日積算消費電力量３０５１、今週積算消費電力量３０５２および今月積算消費電力量３０５３は、消費電力量積算部３０８により算出されて、対応するレコードＲに書込まれる。
【００５９】
図５の（Ａ）を参照して、本日積算消費電力量３０５１は、１日の各時間帯（たとえば、３時間区切りの時間帯）に対応して、当該時間帯に累積加算された消費電力量を含むとともに、トータル３０６１を含む。トータル３０６１は、対応の家電から消費電力のデータを受信する毎に算出される、その日のその時点までの累積加算消費電力量を指す。図５の（Ｂ）を参照して、今週積算消費電力量３０５２は、今週の各日（月／日）に対応して、その日に累積加算された消費電力量を含むとともに、トータル３０６２を含む。トータル３０６２は、対応の家電から消費電力のデータを受信する毎に算出される、その週のその時点までの累積加算消費電力量を指す。図５の（Ｃ）を参照して、今月積算消費電力量３０５３は、今月の各日（月／日）に対応して、その日に累積加算された消費電力量を含むとともに、トータル３０６３を含む。トータル３０６３は、対応の家電から消費電力のデータを受信する毎に算出される、その月のその時点までの累積加算消費電力量を指す。
【００６０】
＜積算電力量データ群３０５Ｂ＞
図６を参照して、積算電力量データ群３０５Ｂは、図５の各レコードＲに対応してデータＰＤを含む。各データＰＤは、対応するレコードＲのＩＤの値、データＤｉ（ｉ＝１、２、…、ｎ）、データＷｊ（ｊ＝１、２、…、ｍ）およびデータＭｋ（ｋ＝１、２、…、ｐ）を含む。データＤｉは、前日以前のｎ日分の毎日に対応の１日分の累積加算消費電力量を指す。データＷｊは、先週以前のｍ週分の各週に対応の１週間分の累積加算積算消費電力量を指す。データＭｋは、先月以前のｐヶ月分の各月に対応の１ヶ月分の累積加算消費電力量を指す。
【００６１】
このように、各家電の本日分、今週分および今月分の累積加算の消費電力量は、消費電力量テーブル３０５Ａの本日積算消費電力量３０５１、今週積算消費電力量３０５２および今月積算消費電力量３０５３を用いて管理される。そして、前日以前の各日、先週以前の各週および先月以前の各月の累積加算消費電力は積算電力量データ群３０５ＢのデータＤｉ、ＷｊおよびＭｋを用いて管理される。
【００６２】
＜消費電力の検出と消費電力量積算＞
図８のフローチャートを参照して、コントローラ１００による各家電の消費電力量の取得について説明する。当該フローチャートに従うプログラムは予めメモリ１０１に格納されて、ＣＰＵ１１０がそのプログラムを読出し実行することにより機能が実現される。
【００６３】
本実施の形態では、各家電は電力センサによって定期的に消費電力を測定し、測定した消費電力のデータを、当該家電の不揮発性メモリに予めに格納されているＩＤ（消費電力量テーブル３０５Ａの当該家電に対応のレコードＲのＩＤに一致する）を付加して、コントローラ１００宛てに送信する。
【００６４】
コントローラ１００の電力情報受信部３０７は、各家電から送信された消費電力のデータを受信するまで待機する（ステップＳ１０１でＮＯ）。受信すると（ステップＳ１０１でＹＥＳ）、受信データを消費電力量積算部３０８に出力する。
【００６５】
消費電力量積算部３０８は、電力情報受信部３０７から消費電力のデータを受信した時間を時計１０８により検出し、検出した受信時間を消費電力検出時間として管理する。
【００６６】
消費電力量積算部３０８は、消費電力のデータを解析し、解析結果に基づき、消費電力のデータを消費電力量テーブル３０５Ａに格納する（ステップＳ１０３）。具体的には、消費電力のデータに付加されたＩＤを格納する消費電力量テーブル３０５ＡのレコードＲの消費電力を、受信した消費電力のデータにより更新する。
【００６７】
また、消費電力量積算部３０８は、受信した消費電力のデータを用いて累積加算処理する（ステップＳ１０５）。具体的には、上述のレコードＲの本日積算消費電力量３０５１の３時間単位の累積加算処理を行う。また、消費電力量積算部３０８は、時計１０８の時間に基づき所定時間になったことを検出すると、当該レコードＲに対応の家電の日単位、週単位および月単位で消費電力量の累積加算処理を実行する。ここでは、１日は午前零時から２４時（真夜中１２時）までの期間を指し、１週は月曜から日曜までの期間を指し、１ヶ月はその月の１日〜最終日までを指す。
【００６８】
具体的には、消費電力量積算部３０８は、時計１０８の時間に基づき毎日２４時になったことを検出すると、当該レコードＲの本日積算消費電力量３０５１の各消費電力量を累積加算する。累積加算された消費電力量は、今週積算消費電力量３０５２と今月積算消費電力量３０５３に追加格納される。また、データＤｉとしてデータＰＤに追加される。また、日曜日の２４時になったことを検出すると、当該レコードＲの今週積算消費電力量３０５２の各消費電力量を累積加算することにより、今週分のデータＷｊを算出し、算出したデータＷｊをデータＰＤに追加する。また、毎月末日の２４時になったことを検出すると、当該レコードＲの今月積算消費電力量３０５３の各消費電力量を累積加算することにより、今月分のデータＭｋを算出し、算出したデータＭｋをデータＰＤに追加する。
【００６９】
このような累積加算処理が行われた後、処理はステップＳ１０１に戻る。
＜ユーザによる機器名の割当て＞
本実施の形態では、各家電を特定するための特定情報として家電の名称を用いる。ユーザは、家電の名称を、お好みの名称に変更することができる。
【００７０】
図９のフローチャートを参照して、コントローラ１００による各家電に対する機器名の割当て処理について説明する。当該フローチャートに従うプログラムは予めメモリ１０１に格納されて、ＣＰＵ１１０がそのプログラムを読出し実行することにより機能が実現される。
【００７１】
ユーザがタブレット１０３を操作して、家電にお好みの名称を割当てる要求を入力すると、操作受付部３００は要求入力操作を受付け、受付けた操作に基づく要求を機器名割当部３０６に出力する（ステップＳ２０１でＹＥＳ）。
【００７２】
機器名割当部３０６は、操作受付部３００から上述の要求を入力すると、ユーザからお好みの名前を受付ける（ステップＳ２０３）。
【００７３】
具体的には、機器名割当部３０６は割当画面生成部３０３Ｃを起動する。割当画面生成部３０３Ｃは、起動されると、間取図格納部３０４から間取図データを読出し、表示用データに編集し、表示処理部３０２に出力する。表示処理部３０２は、間取図データに基づく間取図を、ディスプレイ１０２に表示する。
【００７４】
ユーザは、表示された間取図における所望の家電をタブレット１０３により選択して、所望の名称を入力操作すると、操作受付部３００は、選択された家電の間取図における位置と名称の入力操作を受付ける。受付けた位置と名称は、機器名割当部３０６に与えられる。
【００７５】
機器名割当部３０６は、与えられた位置に基づき、消費電力量テーブル３０５Ａを検索して、該当するレコードＲの割当機器名を、与えられた名称を用いて更新する（ステップＳ２０３）。これにより、ユーザが選択した家電には、ユーザがお好みの名称を、当該家電を特定するための特定情報として割当てることができる。その後、ステップＳ２０１の処理に戻る。
【００７６】
図４によれば、子供部屋のＴＶには“太郎のＴＶ”と、また書斎のエアコンには“パパのエアコン”と、ユーザがお好みの名称が割当てられた状態が示される。
【００７７】
＜ランキングの画面遷移＞
コントローラ１００は、ユーザの操作に従って、ディスプレイ１０２にランキングの画面を切替ながら表示する。図１０〜図１２にはランキングの画面１０Ａ〜１０Ｄが例示される。ランキングの情報を表示するための画面は、複数枚の画面からなる。複数枚の画面は、階層構造に従って関連付けされており、表示するべき画面は階層構造に従って遷移させることができる。
【００７８】
本実施の形態では、階層構造に従って、最上位層を画面１０Ａとし、その下位層を画面１０Ｂ，１０Ｄを含む複数の画面として、それらの下位層に画面１０Ｃを含む複数の画面を位置づける。下位層の画面は、その上位層の画面で表示される情報の詳細を示すための画面である。同じ階層に含まれる複数の画面それぞれは、各家電に対応した情報を表示する。
【００７９】
画面切替部３０１は、ユーザの操作に基づき、階層構造に従って表示画面を切替える。具体的には、“戻る”ボタンが操作されると、表示画面を上位層の画面に切替え、“決定”のボタンが操作されると表示画面を下位層の画面に切替える。また、右方向を指す“→”キーまたは左方向を指す“←”キーが操作されると、同じ階層の別の画面に切替える。すなわち、ランキングの順位に従う次位（上位または下位）の家電を選択し、応じて選択した家電に対応の画面に切替える。ここでは、ランキングに従い消費電力量の多い順に家電を選択するために右方向の“→”キーを操作し、消費電力量の少ない順に家電を選択するために反対の左方向の“←”キーを操作することで、ユーザは直感的に、選択する順番を昇順，降順で切替えることができる。
【００８０】
このようなユーザの操作に連動して切替られる画面について説明する。まず、ユーザによりランキングの要求がされると、図１０の画面１０Ａが表示される。画面１０Ａの左下枠には、ランキングに従う消費電力量の多い方からの順位、すなわちワーストランク（ワースト１位〜ワースト３位）付けされた家電を一意に特定するための特定情報として機器名が、順位と関連付けて一覧表示される。画面１０Ａの他の領域には、他のコンテンツが表示される。
【００８１】
画面１０Ａのランキングの表示用データは、ランキング情報生成部３０３Ａにより生成される。具体的には、ランキング情報生成部３０３Ａは、消費電力量テーブル３０５Ａの各レコードＲの本日積算消費電力量３０５１のトータル３０６１を値が大きい順に従ってランキングする。ランキング結果に基づき、１位〜３位のレコードＲのそれぞれから読出した“機器名”に、順位付けすることにより、表示用データが生成される。
【００８２】
ユーザが、タブレット１０３を操作することにより、画面１０Ａの左下枠を指定した状態でボタン１０４の“決定”ボタンを操作すると、表示画面は画面１０Ａから図１１の画面１０Ｂに切替わる。画面１０Ｂの表示中にボタン１０４の“戻る”ボタンが操作されると、表示画面は画面１０Ｂから画面１０Ａに切替わる。
【００８３】
画面１０Ｂは、画面上部にワーストランキングの順位を指す“１”〜“１０”の数字の列が表示されて、その数字列の“１”が強調表示されている。
【００８４】
画面１０Ｂの数字列の下段には、間取図が表示される。間取図上ではリビングのエアコンのマークが、拡大など強調のための所定態様で表示がされている。
【００８５】
間取図の下段には、エアコンは“リビングのエアコン”であり、その運転／停止の別と、本日の積算消費電力量（トータル３０６１の値）が表示される。画面情報生成部３０３は、これら情報の表示用データを、間取図格納部３０４の間取図および消費電力量テーブル３０５Ａのトータル３０６１が最多であったレコードＲから生成し、表示処理部３０２に出力する。なお、家電の特定情報として、レコードＲの“機器名”および“部屋名”を組合わせて“リビングのエアコン”と表示することにより、屋内に複数台のエアコンが設置される場合であっても、ユーザは、どの部屋のエアコンであるかを速やかに確認することができる。
【００８６】
また、図１０Ｂの画面では、“今日の積算消費電力量”は、その量が所定量（たとえば、月の平均より２０％増しの量）よりも多く、電気の使いすぎと判定される場合には、注意喚起のために表示色の変更など、表示態様を変更するようにしてもよい。
【００８７】
画面１０Ｂの表示中に“決定”ボタンが操作されると、表示画面は画面１０Ｂから画面１０Ｃに切替わる。また、画面１０Ｃの表示中に“戻る”ボタンが操作されると、表示画面は画面１０Ｃから画面１０Ｂに切替わる。
【００８８】
画面１０Ｃは、画面１０Ｂの情報に関する詳細情報を表示する。具体的には、画面１０Ｃの上段では、“１日表示”の指定がされていることから、この指定に基づき、リビングのエアコンについてのトータル３０６１に基づく１日の消費電力量が示されるとともに、家の間取図における当該エアコンのマークが拡大など所定態様で表示される。これにより、ユーザは、どの部屋のエアコンの電力消費量が多いかを間取りにおいて確認することができる。
【００８９】
また、画面１０Ｃには、リビングのエアコンについて、その日の消費電力量の経時変化が棒グラフにて表わされる。棒グラフの表示用データは、グラフ生成部３０３Ｂが、消費電力量テーブル３０５Ａのリビングのエアコンに対応のレコードＲの本日積算消費電力量３０５１に基づき生成し、表示処理部３０２に出力する。
【００９０】
また、画面１０Ｃにおいては、“ポイントを説明”の欄をクリックすると、当該欄において別の情報が、たとえば消費電力量に関するコメント、家電の動作状態に関するコメントが表示されるとしてもよい。
【００９１】
画面１０Ｃでは、“１日表示”が指定された場合であるが、ユーザはボタン１０４またはタブレット１０３を操作することにより、指定を“１ヶ月表示”、“１週間表示”などに切替えることができる。
【００９２】
“１週間表示”の指定がされると、リビングのエアコンについてのトータル３０６２に基づく今週の消費電力量が示され、今週の消費電力量の経時変化が棒グラフにて表わされる。棒グラフの表示用データは、消費電力量テーブル３０５Ａのリビングのエアコンに対応のレコードＲの今週積算消費電力量３０５２に基づき生成される。
【００９３】
同様に“１ヶ月表示”の指定がされると、リビングのエアコンについてのトータル３０６３に基づく今月の消費電力量が示され、同様にして経時変化の棒グラフが表示される。この棒グラフの表示用データは、消費電力量テーブル３０５Ａのリビングのエアコンに対応のレコードＲの今月積算消費電力量３０５３に基づき生成される。
【００９４】
グラフに関しては、消費電力量が所定量よりも多く、電気の使いすぎの時間帯の棒グラフは、所定量を超えた部分は、注意喚起のために色の変更など、表示態様を変更してもよい。
【００９５】
なお、消費電力量の経時変化は棒グラフで表示する態様に限定されず、折れ線グラフなどであってもよい。
【００９６】
さらに、画面１０Ｃにおいて、“１日表示”を指定しながら、ボタン１０４の図示のないシフトボタンを操作すると、リビングのエアコンのデータＰＤのデータＤｉに基づく棒グラフが表示される。同様に、“１週間表示”を指定しながらシフトボタンを操作すると、リビングのエアコンのデータＰＤのデータＷｊに基づく棒グラフが表示され、“１ヶ月表示”を指定しながらシフトボタンを操作すると、リビングのエアコンのデータＰＤのデータＭｋに基づく棒グラフが表示される。
【００９７】
一方、画面１０Ｂの表示中に“→”キーが操作されると、次位のワーストランキング（２位）の家電の情報を表示するための画面１０Ｄに切替わる。画面１０Ｄの表示中に“←”キーが操作されると上位のワーストランキング（１位）の画面１０Ｂに戻り、“→”キーが操作されると、次位のワーストランキング（３位）の家電の情報を表示するための画面（図示せず）が表示される。また、画面１０Ｄの表示中に“戻る”ボタンが操作されると、上位階層の画面１０Ａに切替わり、“決定”ボタンが操作されると画面１０Ｄの情報のより詳細な情報を表示する画面に切替る。
【００９８】
画面１０Ｄでは、ワースト“２位”の書斎のエアコンについて図１０Ｂと同様に表示処理がされる。
【００９９】
なお、画面遷移のための操作ボタンの種別はこれに限定されない。ユーザがより直感的に所望情報を表示できるように、たとえば、次のようにしてもよい。つまり、“青”のボタンを押すと、画面１０Ａに切替わり、画面１０Ａの表示中に“赤”のボタンを押すと、ワースト１位の画面１０Ｂに切替わり、“緑”のボタンを押すとワースト２位の画面１０Ｄに切替わり、“黄色”のボタンを押すとワースト３位の画面に切替わるとしてもよい。
【０１００】
＜画面遷移の処理手順＞
図１３のフローチャートを参照して、コントローラ１００によりランキング画面を遷移させる処理について説明する。当該フローチャートに従うプログラムは予めメモリ１０１に格納されて、ＣＰＵ１１０がそのプログラムを読出し実行することにより機能が実現される。
【０１０１】
まず初期の画面１０Ａが表示され（ステップＳ３０１）、制御変数Ｖに“１”が設定される（ステップＳ３０３）。変数Ｖの値は、現在表示中の画面に対応の家電のワースト順位を示す。
【０１０２】
次に、操作受付部３００はユーザによりランキング要求操作がされたか否かを判定する（ステップＳ３０５）。ランキング要求操作がされないと判定されると（ステップＳ３０５でＮＯ）、処理はステップＳ３０１に戻り、画面１０Ａの表示が継続する。
【０１０３】
一方、ランキング要求操作がされたと判定されると（ステップＳ３０５でＹＥＳ）、画面切替部３０１は、変数Ｖで示される順位の家電についての情報を表示するように画面情報生成部３０３に指示する。指示に基づき、画面情報生成部３０３は画面１０Ｂの表示用データを生成し表示処理部３０２に出力する。これにより、ディスプレイ１０２では画面１０Ａから画面１０Ｂに切替わる。
【０１０４】
続いて、操作受付部３００によりユーザによる操作の種別が判定される。“決定”ボタン操作と判定されると、画面１０Ｃに切替え表示される（ステップＳ３１１）。
【０１０５】
その後、操作受付部３００が、ユーザによる操作種別は“戻る”ボタンの操作と判定すると、ステップＳ３０７の処理に戻るが、その他の操作であると判定されると、ステップＳ３１５において、対応する他の処理が行なわれて、その後、処理はステップＳ３０１に戻る。
【０１０６】
一方、ステップＳ３０９において“戻る”ボタンの操作であると判定されると、処理はステップＳ３０１に戻るが、“←”キーと判定されると、変数Ｖの値が１デクリメントされて（ステップＳ３１７）、処理はステップＳ３０７に移行し、“→”キーと判定されると変数Ｖの値が１インクリメントされて、処理はステップＳ３０７に移る。なお、変数Ｖの値は、デクリメントされて０になるときは、値１がセットされると想定し、変数Ｖの値はランキングの順位の最大値は超えないものと想定する。
【０１０７】
図１３の処理手順に従うことで、画面１０Ａ〜１０Ｄに示す画面の遷移を実現することができる。
【０１０８】
＜他の画面例＞
消費電力量のランキングの情報を提示するための画面は、次のようであってもよい。
【０１０９】
図１４の画面では、ランキングのワースト１位〜５位の各家電について、その名称と消費電力量とが関連付けて一覧表示される。この一覧では、家電の特定情報として、機器名に代替して、消費電力量テーブル３０５Ａの割当機器名（“パパのエアコン”）を用いている。これにより、ユーザは、消費電力量の多い家電を直感的に認識することができる。
【０１１０】
また、このランキングの一覧と同時に、間取図において１位〜５位の各家電の位置が明示される。さらに、ランキングの１位〜５位の家電の名称に付されたフレームの表示態様と、間取図における当該家電のマークのフレームの表示態様とを一致させることで、ユーザがランキングされた各家電が、どの部屋に取付けられているかを一目で認識することができる。ここでは、フレームどうしの線種を一致させているが、フレームの表示色など他の表示態様を一致させるようにしてもよい。
【０１１１】
図１４の画面を表示中に、ユーザが“決定”ボタンを操作すると、図１５の画面に切替わる。図１５の画面では、ランキングが１位の“リビングのエアコン”についての詳細情報が表示される。図１５の画面の表示中に“ランキング”のアイコンをクリック操作すれば、図１４の画面に戻すことができる。
【０１１２】
＜変形例＞
上述した実施の形態では、ランキングにより、各家電を消費電力量の多い順に順位付けしたが、消費電力量に応じた順に従う順位付けであれば多い順に限定されるものではない。たとえば、消費電力量が所定量以上の各家電を消費電力量の少ない順に表示するようにしてもよい。
【０１１３】
上述の実施の形態で一連の画面は、コントローラ１００のディスプレイ１０２に表示されるとしたが、これに代替して、または同時にテレビ２００Ｂのディスプレイ２０２に表示させるとしてもよい。
【０１１４】
また、テレビ２００ＢのＣＰＵ２１０が図３の一点鎖線で示すブロックＢＬの機能を有し、他の機能はコントローラ１００側に備えるようにして、上述のランキング画面の切替表示をテレビ２００Ｂ側の操作で実施できるようにしてもよい。この場合、テレビ２００Ｂにおける処理は、各ハードウェアおよびＣＰＵ２１０により実行されるソフトウェアによって実現される。このようなソフトウェアは、メモリ２０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【０１１５】
このようなソフトウェアは、図示しない読取装置を利用することによってその記憶媒体から読み取られて、あるいは、通信インターフェイス２０５を利用することによってダウンロードされて、メモリ２０１に一旦格納される。ＣＰＵ２１０は、ソフトウェアを実行可能なプログラムの形式でメモリ２０１に格納してから、当該プログラムを実行する。なお、記憶媒体およびプログラムは、ホームコントローラ１００に係る記録媒体やプログラムと同様に実現され得る。
【０１１６】
また、上述の実施の形態では、各家電の電力センサによる消費電力の検出間隔は変更可能としてもよい。たとえば、夜間は、消費電力は比較的安定していることから検出間隔を１分にし、昼間は消費電力の変動が比較的大きいので検出間隔を１５秒にして頻繁に検出する、としてもよい。
【０１１７】
また、消費電力量積算部３０８は、各データＰＤについて、データＷｊの算出に用いられたデータＤｉのうち格納されてから所定期間が経過したものは削除し、または、データＭｋの算出に用いられたデータＷｊのうち格納されてから所定期間が経過したものは削除するようにしてもよい。これにより、メモリ１０１の容量を有効利用できる。
【０１１８】
本実施の形態では、コントローラ１００側で、消費電力量積算部３０８を用いることにより、各家電の消費電力量を累積加算するとしているが、この累積加算は各家電側で行うようにしてもよい。つまり、各家電が消費電力量積算部３０８に相当する累積加算機能を備えて、当該累積加算機能により家電の消費電力を累積加算し、累積加算結果をコントローラ１００に送信する構成であってもよい。
【０１１９】
［実施の形態２］
次に、本発明の実施の形態２について説明する。上述の実施の形態１に係るネットワークシステム１では、家電２００Ａ〜２００Ｅが、消費電力を測定し、消費電力をホームコントローラ１００に送信するものであった。一方、本実施の形態に係るネットワークシステム１Ｂでは、家電２００Ａ〜２００Ｅの各々がホームコントローラ１００に消費電力を送信しない。すなわち、家電２００Ａ〜２００Ｅの代わりに、家電２００Ａ〜２００Ｅに電力を供給するためのコンセントに取り付けられた通信機能を有する消費電力測定装置が、家電２００Ａ〜２００Ｅの各々の消費電力を測定し、測定した消費電力をホームコントローラ１００に送信するものである。
【０１２０】
＜ネットワークシステムの全体構成＞
図１６を参照して、本実施の形態に係るネットワークシステム１Ｂは、たとえば、住宅やオフィスなどに設置される。ネットワークシステム１Ｂは、リビングルームに設置されるエアコン２００Ａ、リビングルームに設置されるテレビ２００Ｂ、リビングルームに設置されるカーテン開閉装置２００Ｃ、キッチンに設置される冷蔵庫２００Ｄ、ダイニングルームに設置されるライト２００Ｅなどの家電（電気機器）を含む。
【０１２１】
ネットワークシステム１Ｂは、太陽光発電装置２００Ｘ、バッテリー２００Ｙ、それらを制御するためのパワーコンディショナ２００Ｚを含む。
【０１２２】
本実施の形態に係るネットワークシステム１Ｂでは、エアコン２００Ａ用の通信装置４００Ａが、エアコン２００Ａとエアコン２００Ａのコンセントとの間に設置される。換言すれば、通信装置４００Ａがエアコン２００Ａのコンセントに差し込まれ、エアコン２００Ａのアダプタ２５０Ａが通信装置４００Ａに差し込まれる。同様に、カーテン開閉装置２００Ｃ用の通信装置４００Ｃが、カーテン開閉装置２００Ｃとカーテン開閉装置２００Ｃのコンセントとの間に設置される。換言すれば、通信装置４００Ｃがカーテン開閉装置２００Ｃのコンセントに差し込まれ、カーテン開閉装置２００Ｃのアダプタ２５０Ｃが通信装置４００Ｃに差し込まれる。冷蔵庫２００Ｄ用の通信装置４００Ｄが、冷蔵庫２００Ｄと冷蔵庫２００Ｄのコンセントとの間に設置される。換言すれば、通信装置４００Ｄが冷蔵庫２００Ｄのコンセントに差し込まれ、冷蔵庫２００Ｄのアダプタ２５０Ｄが通信装置４００Ｄに差し込まれる。ライト２００Ｅ用の通信装置４００Ｅが、ライト２００Ｅとライト２００Ｅのコンセントとの間に設置される。換言すれば、通信装置４００Ｅがライト２００Ｅのコンセントに差し込まれ、ライト２００Ｅのアダプタ２５０Ｅが通信装置４００Ｅに差し込まれる。
【０１２３】
ネットワークシステム１Ｂは、家電２００Ａ〜２００Ｅ、太陽光発電装置２００Ｘ、バッテリー２００Ｙ、それらを制御するためのパワーコンディショナ２００Ｚ、などを制御するためのホームコントローラ１００を含む。ホームコントローラ１００は、有線あるいは無線のネットワーク４０１を介して、家電２００Ａ〜２００Ｅ、太陽光発電装置２００Ｘ、バッテリー２００Ｙ、それらを制御するためのパワーコンディショナ２００Ｚ、などとデータ通信が可能である。ホームコントローラ１００は、ネットワーク４０１として、たとえば、無線ＬＡＮ、ZigBee(登録商標)、Bluetooth（登録商標）、有線ＬＡＮ（Local  Area  Network）、またはＰＬＣ（Power  Line  Communications）などを利用する。ホームコントローラ１００は、持ち運び可能であってもよいし、テーブル上に載置されたベースに着脱自在であってもよいし、部屋の壁に固設されるものであってもよい。
【０１２４】
本実施の形態に係るネットワークシステム１Ｂは、実施の形態１に係るネットワークシステム１と比較して、ホームコントローラ１００が、通信装置４００Ａ〜４００Ｅを介して、家電２００Ａ〜２００Ｅの消費電力を取得する点において異なるものである。他の構成については、実施の形態１のそれらと同様であるため、説明を繰り返さない。
【０１２５】
＜その他の実施の形態＞
本発明は、ホームコントローラ１００や家電２００Ａ〜２００Ｅや他の携帯電話などにプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読み出し実行することによっても、本発明の効果を享受することが可能となる。
【０１２６】
この場合、記憶媒体から読み出されたプログラムコード自体が前述した実施の形態の機能を実現することになり、そのプログラムコードを記憶した記憶媒体は本発明を構成することになる。
【０１２７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１２８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１２９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３０】
１，１Ｂ  ネットワークシステム、１００  ホームコントローラ、１０２  ディスプレイ、１０３  タブレット、１０４  ボタン、１０５  通信インターフェイス、１０６  タッチパネル、１０８  時計、２００Ａ  エアコン、２００Ｂ  テレビ、２００Ｃ  カーテン開閉装置、２００Ｄ  冷蔵庫、２００Ｅ  ライト、３００  操作受付部、３０１  画面切替部、３０２  表示処理部、３０３  画面情報生成部、３０３Ａ  ランキング情報生成部、３０３Ｂ  グラフ生成部、３０３Ｃ  割当画面生成部、３０４  間取図格納部、３０５  電力情報格納部、３０５Ａ  消費電力量テーブル、３０５Ｂ  積算電力量データ群、３０６  機器名割当部、３０７  電力情報受信部、３０８  消費電力量積算部、４００Ａ，４００Ａ〜４００Ｅ，４００Ｃ，４００Ｄ，４００Ｅ  通信装置、４０１  ネットワーク、４０２  電力線。
【図１】
2012133764.tif 000003
【図２】
2012133764.tif 000004
【図３】
2012133764.tif 000005
【図４】
2012133764.tif 000006
【図５】
2012133764.tif 000007
【図６】
2012133764.tif 000008
【図７】
2012133764.tif 000009
【図８】
2012133764.tif 000010
【図９】
2012133764.tif 000011
【図１０】
2012133764.tif 000012
【図１１】
2012133764.tif 000013
【図１２】
2012133764.tif 000014
【図１３】
2012133764.tif 000015
【図１４】
2012133764.tif 000016
【図１５】
2012133764.tif 000017
【図１６】
2012133764.tif 000018